(57)【特許請求の範囲】
【請求項１】
データチャネルに関連付けられている制御チャネル（Ｅ−ＤＰＣＣＨ）を復号器（４７５）で復号して、少なくとも１つの復号メトリックを生成するステップであって、前記復号メトリックは、複数の符号語中の符号語が前記制御チャネル上に存在する可能性を表すステップと、
前記復号メトリックに基づいてエネルギー・メトリックを計算するステップと、
前記エネルギー・メトリック及び閾値に基づいて、制御チャネル（Ｅ−ＤＰＣＣＨ）信号が前記復号された制御チャネル上に存在するかどうかを検出器（４６５）で検出するステップであって、前記閾値はコードブック内の符号語の数に基づいているステップと
を含み、
前記復号された制御チャネル上に前記制御チャネル信号が存在するかどうかの検出は、データ信号が前記関連付けられているデータチャネル上に存在するかどうかを示すことを特徴とする信号を検出する方法。
【請求項２】
前記復号メトリックは、複数の符号語中のそれぞれの符号語が前記制御チャネル上で受信された信号に存在する可能性を表す相関である請求項１に記載の方法。
【請求項３】
前記復号メトリックが前記複数の符号語についての最も高い相関である請求項２に記載の方法。
【請求項４】
前記エネルギー・メトリックは、前記最も高い相関に基づいている請求項３に記載の方法。
【請求項５】
前記計算ステップが、
前記最も高い相関を２乗して、エネルギー値を生成するステップと、
前記エネルギー値を正規化して、前記エネルギー・メトリックを生成するステップと
をさらに含む請求項４に記載の方法。
【請求項６】
前記正規化されたエネルギー値が、前記制御チャネル上で受信されたフレームについての信号エネルギーおよびノイズ・エネルギーに基づいて生成される請求項５に記載の方法。
【請求項７】
前記閾値が、前記復号された制御チャネルに関連付けられている前記複数の符号語内の前記符号語の数に依存する請求項１に記載の方法。
【請求項８】
前記エネルギー・メトリックが前記閾値以上である場合、前記制御チャネル信号が前記復号された制御チャネル上に存在することを前記検出ステップが検出する
請求項１に記載の方法。
【請求項９】
データチャネルに関連付けられている制御チャネルを復号して、少なくとも１つの復号メトリックを生成するように構成されている復号器（４７５）であって、前記復号メトリックは、複数の符号語中の符号語が前記制御チャネル上に存在する可能性を表す復号器（４７５）と、
前記復号メトリックに基づいてエネルギー・メトリックを計算し、前記エネルギー・メトリック及び閾値に基づいて、制御チャネル信号が前記復号された制御チャネル上に存在するかどうかを検出するように構成されている検出器（４６５）であって、前記閾値はコードブック内の符号語の数に基づいている検出器（４６５）と
を含み、
前記復号された制御チャネル上に前記制御チャネル信号が存在するかどうかの検出は、データ信号が前記関連付けられているデータチャネル上に存在するかどうかを示すことを特徴とする信号を検出する装置。
【発明の詳細な説明】
【技術分野】
【０００１】
本願は、拡張専用チャネルのための専用制御チャネル検出に関する。
【背景技術】
【０００２】
セルラー式通信ネットワークは、一般に、無線または有線接続によって結合され、異なるタイプの通信チャネルを介してアクセスされる様々な通信ノードを含む。通信ノードのそれぞれは、通信チャネルを介して送受信されたデータを処理するプロトコル・スタックを含む。通信システムのタイプに応じて、様々な通信ノードの動作および構成は、異なる可能性があり、異なる名前で呼ばれることが多い。こうした通信システムには、例えば、Ｃｏｄｅ  Ｄｉｖｉｓｉｏｎ  Ｍｕｌｔｉｐｌｅ  Ａｃｃｅｓｓ２０００（ＣＤＭＡ２０００）システムやＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）などがある。
【０００３】
第３世代無線通信プロトコル標準（３ＧＰＰ−ＵＭＴＳ、３ＧＰＰ２−ＣＤＭＡ２０００など）は、アップリンク（以下ユーザと呼ぶ、移動局（ＭＳ）またはユーザ機器（ＵＥ）と基地局（ＢＳ）またはＮｏｄｅＢとの間の通信フロー）に専用トラフィック・チャネルを使用する場合がある。専用チャネルは、データ部分（ＵＭＴＳ  Ｒｅｌｅａｓｅ４／５プロトコルに基づく専用物理データ・チャネル（ＤＰＤＣＨ）、ＣＤＭＡ２０００プロトコルに基づく基本チャネルまたは補助チャネルなど）、および制御部分（ＵＭＴＳ  Ｒｅｌｅａｓｅ４／５プロトコルに基づく専用物理制御チャネル（ＤＰＣＣＨ）、ＣＤＭＡ２０００プロトコルに基づくパイロット／電力制御サブチャネル（ｐｉｌｏｔ／ｐｏｗｅｒ  ｃｏｎｔｒｏｌ  ｓｕｂ−ｃｈａｎｎｅｌ）など）を含み得る。
【０００４】
これらの標準のより新しいバージョン、例えば、ＵＭＴＳのＲｅｌｅａｓｅ６は、拡張専用チャネル（Ｅ−ＤＣＨ）と呼ばれる高データ・レートのアップリンク・チャネルを提供する。Ｅ−ＤＣＨは、拡張データ部分（ＵＭＴＳプロトコルに基づくＥ−ＤＣＨ専用物理データ・チャネル（Ｅ−ＤＰＤＣＨ）など）、および拡張制御部分（ＵＭＴＳプロトコルに基づくＥ−ＤＣＨ専用物理制御チャネル（Ｅ−ＤＰＣＣＨ）など）を含み得る。
【０００５】
図１は、ＵＭＴＳプロトコルに従って動作する従来の無線通信システム１００を示す。図１を参照すると、無線通信システム１００は、それぞれのカバレージ・エリアにおいて第１のタイプのユーザ１１０および第２のタイプのユーザ１０５の通信ニーズにそれぞれ応えるＮｏｄｅＢ１２０、１２２および１２４などいくつかのＮｏｄｅＢを含み得る。第１のタイプのユーザ１１０は、以下、拡張ユーザ（ｅｎｈａｎｃｅｄ  ｕｓｅｒ）と呼ぶ、ＵＭＴＳ  Ｒｅｌｅａｓｅ６のユーザなど、データ・レートがより高いユーザとすることができる。第２のタイプのユーザは、以下、レガシー・ユーザ（ｌｅｇａｃｙ  ｕｓｅｒ）と呼ぶ、ＵＭＴＳ  Ｒｅｌｅａｓｅ４／５のユーザなど、データ・レートがより低いユーザとすることができる。ＮｏｄｅＢは、ＲＮＣ１３０および１３２などのＲＮＣに接続されており、ＲＮＣは、ＭＣＣ／ＳＧＳＮ１４０に接続されている。ＲＮＣは、ＭＳＣおよびＳＧＳＮを必要とすることなく自律型的に管理するハンドオーバーなど、いくつかの呼／データ処理機能（ｃａｌｌ  ａｎｄ  ｄａｔａ  ｈａｎｄｌｉｎｇ  ｆｕｎｃｔｉｏｎ）を処理する。ＭＳＣ／ＳＧＳＮ１４０は、ネットワークにおける他の要素（ＲＮＣ１３０／１３２、ＮｏｄｅＢ１２０／１２２／１２４など）または外部ネットワークへの呼および／またはデータのルーティングを処理する。図１には、これらの要素の間のインターフェイスＵｕ、Ｉｕｂ、Ｉｕｒ、およびＩｕｂがさらに示されている。
【０００６】
図２に、アップリンク方向の拡張専用チャネル（Ｅ−ＤＰＣＣＨやＥ−ＤＰＤＣＨなど）のフレーム構造の一例が示されている。各フレーム２００は、例えば１０ミリ秒（ｍｓ）の長さを有し、３つのスロットをそれぞれ含む５つのサブフレームに区分することができる。各スロット２０５は、例えば２５６０チップ長を有し、例えば２／３ｍｓの持続時間を有し得る。したがって、各サブフレームは、２ｍｓの持続時間を有し得る。
【０００７】
上述したように、Ｅ−ＤＣＨは、Ｅ−ＤＰＤＣＨ２４０およびＥ−ＤＰＣＣＨ２２０を含み、Ｅ−ＤＰＣＣＨ２２０およびＥ−ＤＰＤＣＨ２４０のそれぞれは、符号多重され得る。
【０００８】
Ｅ−ＤＰＣＣＨ２２０は、関連のＥ−ＤＰＤＣＨのための制御情報を運ぶ。この制御情報は、３つの構成要素、再送シーケンス番号（ＲＳＮ）、トランスポート・フォーマット・インジケータ（ＴＦＩ）、およびハッピー・ビットを含む。ＲＳＮは、Ｅ−ＤＰＤＣＨ上で送信された関連のパケットの送信指標を示し、最大値３を有し、２ビットによって表される。ＴＦＩは、関連のＥ−ＤＰＤＣＨによって運ばれるトランスポート・チャネルのデータ・フォーマット（転送ブロック・サイズ、送信時間間隔（ＴＴＩ）など）を示し、７ビットによって表される。ハッピー・ビットは、ＵＥがＥ−ＤＣＨチャネルの現在のセットアップで満足しているかどうかを１つまたは複数のＮｏｄｅＢに通知するためにＵＥによって使用され得るバイナリ・インジケータであり、単一ビットによって表される。例えば、図１のＵＥ１１０は、このインジケータを使用して、ＮｏｄｅＢ１２０／１２２／１２４の１つに、ＵＥ１１０がより大きいデータ容量を処理できることを通知することができる。言い換えれば、ハッピー・ビットは、レート増加要求ビット（ｒａｔｅ  ｉｎｃｒｅａｓｅ  ｒｅｑｕｅｓｔ  ｂｉｔ）である。
【０００９】
図３は、図１の拡張ＵＥ１１０に設置されている従来のＵＭＴＳアップリンク送信機３００、およびＮｏｄｅＢ１２０／１２２／１２４の１つに設置されている受信機３５０を示す。図３の従来の送信機３００および受信機３５０は、Ｅ−ＤＣＨを送受信することができる。
【００１０】
図３に示されているように、上位層の拡張専用トランスポート・チャネル（Ｅ−ＤＣＨ）に関連付けられているデータは、送信チャネル処理ブロック３０３で、Ｅ−ＤＰＤＣＨフレームに処理され得る。フレームは、変調／直交拡散ユニット（ｍｏｄｕｌａｔｉｏｎ  ａｎｄ  ｏｒｔｈｏｇｏｎａｌ  ｓｐｒｅａｄｉｎｇ  ｕｎｉｔ）３０４で変調され、直交拡散されたバイナリ位相偏移変調（ｂｉｎａｒｙ  ｐｈａｓｅ  ｓｈｉｆｔ  ｋｅｙｉｎｇ：ＢＰＳＫ）とすることができる。拡散変調フレーム（ｓｐｒｅａｄ  ｍｏｄｕｌａｔｅｄ  ｆｒａｍｅ）は、ゲイン・ユニット３１５によって受信され、そこで拡散変調フレームの振幅が調整され得る。結合器３２０は、ゲイン・ユニット３１５の出力を受信する。
【００１１】
さらに図３を参照すると、２ＲＳＮビット、７ＴＦＩビット、および１ハッピー・ビットが１０ビットＥ−ＤＰＣＣＨワードにマッピングされ、これは、例えば２ｍｓまたは１０ｍｓのＴＴＩを有する関連のＥ−ＤＰＤＣＨフレームのための制御情報であり得る。次いで、１０ビットＥ−ＤＰＣＣＨワードは、ＦＥＣユニット３０１で、３０ビット符号化シーケンスに符号化され得る。すなわち、例えば、単一のＥ−ＤＰＤＣＨフレームに関連付けられている１０ビットＥ−ＤＰＣＣＨワードは、まず、２次リード・マラー符号（ｓｅｃｏｎｄ  ｏｒｄｅｒ  Ｒｅｅｄ−Ｍｕｌｌｅｒ  ｃｏｄｅ）の（３２，１０）サブコードを使用して、３２ビットＥ−ＤＰＣＣＨ符号語に符号化される。次いで３２ビット符号語は、（３０，１０）符号にパンクチャー（ｐｕｎｃｔｕｒｅ）されて、送信されるべき３０の符号化シンボル（この場合、１ビットは１シンボルを表す）を生成する。こうした３０の符号化シンボルは、１つのサブフレームで送信される（例えば、スロット当たり１０ビットの３スロット）。
【００１２】
図３に戻ると、３０ビット符号化シーケンスは、ＢＰＳＫ変調器３０５で変調され、直交拡散ユニット３１０で直交拡散される。直交拡散ユニット３１０からの出力は、ゲイン・ユニット３１６でゲイン調整され、結合器３２０に出力される。上記のＥ−ＤＰＣＣＨと同様に、例えばチャネル推定の決定に使用される、よく知られているＤＰＣＣＨフレームは、ＢＰＳＫ変調器３０６で変調され、変調されたフレームは、直交拡散ユニット３１１で直交拡散される。拡散変調フレームは、ゲイン・ユニット３１７によって受信され、そこで拡散変調フレームの振幅が調整され得る。
【００１３】
ゲイン・ユニット３１５、３１６、および３１７のそれぞれの出力は、結合器ユニット３２０によって結合（符号分割多重など）されて結合信号になる。結合信号は、成形フィルタ（ｓｈａｐｉｎｇ  ｆｉｌｔｅｒ）３２５によってスクランブルがかけられ、フィルタ処理され、成形フィルタ３２５の出力は、伝搬チャネル３３０を介して（例えば無線で）受信機３５０に送信される。
【００１４】
受信機３５０で、送信された信号が、伝搬チャネル３３０を介して受信され、Ｅ−ＤＰＤＣＨ処理ブロック３３５、Ｅ−ＤＰＣＣＨソフトシンボル生成ブロック３４５、およびＤＰＣＣＨチャネル推定ブロック３５５に入力される。当分野ではよく知られているように、ＤＰＣＣＨチャネル推定ブロック３５５は、ＤＰＣＣＨ上で送信されたパイロットを使用して、チャネル推定値を生成する。チャネル推定値は、よく知られている任意の方法で生成することができ、簡潔にするために、本明細書ではこれ以上説明しない。ＤＰＣＣＨチャネル推定ブロック３５５で生成されたチャネル推定値は、Ｅ−ＤＰＤＣＨ処理ブロック３３５およびＥ−ＤＰＣＣＨソフトシンボル生成ブロック３４５のいずれかに出力され得る。
【００１５】
ソフトシンボル生成ブロック３４５で、受信された制御信号は、デスクランブルされ、逆拡散され、逆回転（ｄｅ−ｒｏｔａｔｅｄ）／逆多重化されて、ソフトシンボルのシーケンスを生成することができる。Ｅ−ＤＰＣＣＨソフトシンボルは、受信された信号の推定値、言い換えれば、送信機３００によって送信された３０のシンボルの推定値を表すことができる。Ｅ−ＤＰＣＣＨソフトシンボルは、さらに処理されて、送信されたＥ−ＤＰＣＣＨワードを回復することができる。
【００１６】
Ｅ−ＤＰＣＣＨソフトシンボルは、Ｅ−ＤＰＣＣＨ不連続送信（ＤＴＸ）検出ユニット３６５に出力される。Ｅ−ＤＰＣＣＨ  ＤＴＸ検出ユニット３６５は、閾値処理操作を使用して、Ｅ−ＤＰＣＣＨ上で受信された信号が実際に存在するかどうかを決定する。
【００１７】
例えば、Ｅ−ＤＰＣＣＨ  ＤＴＸ検出ユニット３６５は、受信されたＥ−ＤＰＣＣＨフレーム（例えば２ｍｓの所与のＴＴＩにわたる信号エネルギーなど）の信号エネルギーを正規化し、正規化された信号エネルギーを閾値と比較することができる。正規化された信号エネルギーが閾値より大きい場合、Ｅ−ＤＰＣＣＨ  ＤＴＸ検出ユニット３６５は、制御信号がＥ−ＤＰＣＣＨ上に存在することを決定し、そうでない場合、ＥＤＰＣＣＨ  ＤＴＸ検出ユニット３６５は、制御信号がＥ−ＤＰＣＣＨ上に存在しないことを決定し、したがって、不連続送信を宣言する。
【００１８】
制御信号がＥ−ＤＰＣＣＨ上に存在することをＥ−ＤＰＣＣＨ  ＤＴＸ検出ユニット３６５が検出した場合、ソフトシンボル生成ブロック３４５から出力されたソフトシンボルは、Ｅ−ＤＰＣＣＨ復号ブロック３７５によって処理されて、送信機３００によって送信された１０ビットＥ−ＤＰＣＣＨワードを回復（例えば推定）する。
【００１９】
例えば、送信された１０ビットＥ−ＤＰＣＣＨワードの回復の際、Ｅ−ＤＰＣＣＨワード復号ブロック３７５は、ソフトシンボルのシーケンスと、送信機３００によって送信された可能性がある１０２４の可能なすべてのＥ−ＤＰＣＣＨ符号語のサブセット（２、４、８、１６、３２など）における各３０ビット符号語との間の、以下相関と呼ぶ相関値または相関距離を決定することができる。符号語のこのサブセットは、コードブックと呼ばれ得る。ソフトシンボルのシーケンスと、コードブック内の各符号語との間の相関を決定した後、Ｅ−ＤＰＣＣＨ復号ブロック３７５は、Ｅ−ＤＰＣＣＨソフトシンボルへの最も高い相関を有する３０ビットＥ−ＤＰＣＣＨ符号語に対応する１０ビットＥ−ＤＰＣＣＨワードを選択する。次いで、１０ビットＥ−ＤＰＣＣＨワードは、Ｅ−ＤＰＤＣＨの処理に使用するために、ＥＤＰＤＣＨ処理ブロック３３５に出力される。
【００２０】
図３に示されているような従来のＥ−ＤＰＣＣＨ処理は、Ｅ−ＤＰＣＣＨ性能結果を生成し、かつ／またはＲｅｌｅａｓｅ６ＵＭＴＳ標準に関する適合テスト要件を設定するために使用される。しかし、このＥ−ＤＰＣＣＨ処理方式で得られた性能は、図３のＥ−ＤＰＣＣＨ  ＤＴＸ検出ユニット３６５によって指示することができ、十分な性能を提供しない場合がある。例えば、Ｅ−ＤＣＨが２ｍｓのＴＴＩ長を有する場合、Ｅ−ＤＰＣＣＨ  ＤＴＸ検出ユニット３６５でＥ−ＤＰＣＣＨ制御信号が検出されるのに、より高い送信電力が必要であり得る。一方、Ｅ−ＤＰＣＣＨ復号ブロック３７５は、Ｅ−ＤＰＣＣＨ  ＤＴＸ検出ユニット３６５によって必要とされるより小さい電力レベルを有するＥ−ＤＰＣＣＨ制御信号を正常に復号することができる。
【発明の開示】
【発明が解決しようとする課題】
【００２１】
したがって、Ｅ−ＤＰＣＣＨ復号ブロック３７５は、制御信号がＥ−ＤＰＣＣＨ上に存在することをＥ−ＤＰＣＣＨ  ＤＴＸ検出ユニット３６５が示す場合にのみ、Ｅ−ＤＰＣＣＨを復号するため、Ｅ−ＤＰＣＣＨ検出の性能要件に基づいて、Ｅ−ＤＰＣＣＨ送信電力を設定しなければならない。これは、より高い消費電力および／または他のユーザへのより高い干渉をもたらし得る。
【課題を解決するための手段】
【００２２】
本発明の一実施形態例では、信号を検出する方法は、物理チャネルに関連付けられている制御チャネルを復号して、少なくとも１つの復号メトリック（ｄｅｃｏｄｉｎｇ  ｍｅｔｒｉｃ）を生成するステップと、復号メトリックに基づいて、制御チャネル信号が制御チャネル上に存在するかどうかを検出するステップとを含み得る。
【００２３】
本発明の別の実施形態例では、信号を検出する装置は、復号器および検出器を含み得る。復号器は、物理チャネルに関連付けられている制御信号を復号して、少なくとも１つの復号メトリックを生成し、検出器は、復号メトリックに基づいて、制御チャネル信号が制御チャネル上に存在するかどうかを検出し得る。
【００２４】
本発明の実施形態例では、復号メトリックは、複数の符号語中のそれぞれの符号語が制御チャネル上で受信された信号に存在し得る可能性を表す相関であり得る。
【００２５】
本発明の実施形態例では、復号メトリックは、複数の符号語についての最も高い相関であり得る。
【００２６】
本発明の実施形態例では、エネルギー・メトリックは、最も高い相関に基づいて計算され、制御チャネル上に存在する制御チャネル信号は、エネルギー・メトリックに基づいて検出され得る。
【００２７】
本発明の実施形態例では、最も高い相関は、エネルギー値を生成するために、２乗され得る。エネルギー値は、エネルギー・メトリックを生成するために、正規化され得る。正規化されたエネルギー値は、制御チャネル上で受信されたフレームについての信号エネルギーおよびノイズ・エネルギーに基づいて生成され得る。
【００２８】
本発明の実施形態例では、制御チャネル上に存在する制御チャネル信号は、エネルギー・メトリックおよび閾値に基づいて検出され得る。閾値は、制御信号に関連付けられている複数の符号語内の符号語の数に依存し、制御チャネル上で受信されたフレームに関連付けられているトランスポート・フォーマット設定サイズに依存し、かつ／または１つのトランスポート・チャネル・パケットについての送信の最大数に基づいて決定され得る。
【００２９】
本発明の実施形態例では、制御チャネル上に存在する制御チャネル信号は、エネルギー・メトリックが閾値以上である場合に検出され得る。
【００３０】
本発明の実施形態例では、制御チャネル信号が制御チャネル上に存在するかどうかを示すインジケータは、検出ステップに基づいて生成され、制御チャネルに関連付けられているデータ・チャネル上で受信されたデータは、生成されたインジケータに基づいて処理され得る。
【００３１】
本発明の実施形態例では、復号器は、拡張復号器、検出器は、不連続送信検出器とすることができる。物理チャネルは、拡張専用チャネルとすることができる。
【００３２】
本発明は、本明細書において後述される詳細な説明および添付の図面からより十分に理解されよう。図中、同様の要素は、同様の参照番号によって表されており、添付の図面は、例示の目的で提供されているにすぎず、したがって本発明を制限するものではない。
【発明を実施するための最良の形態】
【００３３】
図１に関して上述したように、マルチユーザ環境は、本明細書では拡張ユーザと呼ぶ、ＵＭＴＳ  Ｒｅｌｅａｓｅ６ユーザなど、データ・レートがより高いユーザであり得る、第１のタイプのユーザ１１０、および本明細書ではレガシー・ユーザと呼ぶ、ＵＭＴＳ  Ｒｅｌｅａｓｅ４／５ユーザなど、データ・レートがより低いユーザであり得る、第２のタイプのユーザ１０５を少なくとも含み得る。拡張ユーザ１１０およびレガシー・ユーザ１０５は、信号を、それぞれ拡張専用チャネル（Ｅ−ＤＰＤＣＨやＥ−ＤＰＣＣＨなど）および専用チャネル（ＤＰＤＣＨやＤＰＣＣＨなど）を介して同時にサービス提供側ＮｏｄｅＢ１２０／１２２／１２４に送信する。上述したように、これらの拡張されたおよび従来の専用物理チャネルは、複数の伝搬パスをそれぞれ含み得るそれぞれの伝搬チャネルを介して送信され得る。
【００３４】
図４は、本発明の一実施形態例によるアップリンクＵＭＴＳ受信機４５０を示す。図４に示される受信機４５０は、例えば、図１に示されるＮｏｄｅＢ１２０／１２２／１２４のいずれかまたはすべてに配置され得る。例示の目的で、本発明の実施形態例を、図１の従来の無線システムに関して説明するが、本発明の実施形態例は、適した任意の無線通信ネットワーク（ＵＭＴＳ、ＣＤＭＡ２０００など）と共に実施できることを理解されたい。
【００３５】
図４に示されるように、送信された信号が、伝搬チャネル３３０を介して受信され、Ｅ−ＤＰＤＣＨ処理ブロック４３５、Ｅ−ＤＰＣＣＨソフトシンボル生成ブロック３４５、およびＤＰＣＣＨチャネル推定ブロック３５５に入力される。当分野ではよく知られているように、ＤＰＣＣＨチャネル推定ブロック３５５は、ＤＰＣＣＨ上で送信されたパイロットを使用して、チャネル推定値を生成する。チャネル推定値は、よく知られている任意の方法で生成することができ、簡潔にするために、本明細書ではこれ以上説明しない。ＤＰＣＣＨチャネル推定ブロック３５５で生成されたチャネル推定値は、Ｅ−ＤＰＤＣＨ処理ブロック４３５およびＥ−ＤＰＣＣＨソフトシンボル生成ブロック３４５のいずれかに出力され得る。
【００３６】
ソフトシンボル生成ブロック３４５で、受信された信号（受信された制御信号など）は、デスクランブルされ、逆拡散され、逆回転／逆多重化されて、ソフトシンボルのシーケンスを生成することができる。Ｅ−ＤＰＣＣＨソフトシンボルは、受信された信号の推定値、言い換えれば、送信機３００によって送信された３０のシンボルの推定値を表すことができる。Ｅ−ＤＰＣＣＨソフトシンボルは、さらに処理されて、送信されたＥ−ＤＰＣＣＨワードを回復することができる。
【００３７】
ブロック３４５から出力されたソフトシンボルは、Ｅ−ＤＰＣＣＨ復号ユニット４７５によって受信され得る。Ｅ−ＤＰＣＣＨ復号ユニット４７５は、ソフトシンボル（所与のフレームまたはＴＴＩを介して受信された信号など）と既知のコードブック内の各３０ビット符号語との間の相関値または相関距離（以下、相関と呼ぶ）を生成し得る。各相関は、それぞれの３０ビット符号語が送信機３００によって送信された可能性または確率を表し得る。既知のコードブックは、１０２４の可能な１０ビットＥ−ＤＰＣＣＨワードのうちの１つにそれぞれ対応する複数の３０ビット符号語を含み得る。既知のコードブック内の符号語の数は、１０２４の可能なすべてのＥ−ＤＰＣＣＨ符号語のサブセット（２、４、８、１６、３２など）であり得る。コードブック内の符号語は、適した任意のよく知られている方法で決定されてもよく、または送信および受信の前に、ＵＥおよびＮｏｄｅＢによって知られていてもよい。
【００３８】
次いで、Ｅ−ＤＰＣＣＨ復号ユニット４７５は、各相関を比較して、最も高い相関を決定することができる。最も高い相関に関連付けられているコードブック内の符号語は、送信機３００によって送信される可能性が最も高い符号語である。最も高い相関は、復号メトリックとして使用され得る。
【００３９】
最も高い相関およびコードブック内の関連の符号語を決定した後、Ｅ−ＤＰＣＣＨ復号ユニット４７５は、相関メトリックが最も高い３０ビット符号語に対応する１０ビット・ワードを選択することができる。次いでＥ−ＤＰＣＣＨ復号ユニット４７５は、復号メトリック（最も高い相関など）をＥ−ＤＰＣＣＨ  ＤＴＸ検出ユニット４６５に出力し、選択された１０ビットＥ−ＤＰＣＣＨワードをＥ−ＤＰＤＣＨ処理ブロック４３５に出力することができる。
【００４０】
動作例では、Ｅ−ＤＰＣＣＨ  ＤＴＸ検出ユニット４６５は、復号メトリックに基づいて、エネルギー・メトリックを生成することができる。すなわち、例えば、Ｅ−ＤＰＣＣＨ  ＤＴＸ検出ユニット４６５は、Ｅ−ＤＰＣＣＨ復号ユニット４７５から最も高い相関を受信し、最も高い相関を２乗して、エネルギー値を生成することができる。エネルギー値は、所与のフレームまたはＴＴＩを介したＥ−ＤＰＣＣＨの信号エネルギーを表し得る。
【００４１】
Ｅ−ＤＰＣＣＨ  ＤＴＸ検出ユニット４６５は、同じＥ−ＤＰＣＣＨフレームまたはＴＴＩを介したノイズのエネルギーを計算することもできる。信号エネルギーを計算されたノイズ・エネルギーで割って、所与のＥ−ＤＰＣＣＨフレームまたはＴＴＩについての信号対雑音比または正規化されたエネルギー値を生成する。この正規化されたエネルギーまたは信号対雑音比を、エネルギー・メトリックとして使用することができる。
【００４２】
次いで、Ｅ−ＤＰＣＣＨ  ＤＴＸ検出ユニット４６５は、エネルギー・メトリックおよび閾値に基づいて、制御信号がＥ−ＤＰＣＣＨフレームまたはＴＴＩで受信されたかどうかを決定することができる。すなわち、例えば、所与のＥ−ＤＰＣＣＨフレームまたはＴＴＩについて、Ｅ−ＤＰＣＣＨ  ＤＴＸ検出ユニット４６５は、エネルギー・メトリックを閾値と比較して、制御信号がＥ−ＤＰＣＣＨ上で受信されたかどうかを決定することができる。エネルギー・メトリックが閾値以上である場合、Ｅ−ＤＰＣＣＨ  ＤＴＸ検出ユニット４６５は、制御信号がＥ−ＤＰＣＣＨ上で受信されたことを決定し得る。一方、エネルギー・メトリックが閾値未満である場合、Ｅ−ＤＰＣＣＨ  ＤＴＸ検出ユニット４６５は、制御信号がＥ−ＤＰＣＣＨ上で受信されていない（例えば制御信号が存在しない）ことを決定し得る。
【００４３】
次いで、Ｅ−ＤＰＣＣＨ  ＤＴＸ検出ユニット４６５は、制御信号がＥ−ＤＰＣＣＨ上で受信されたかどうかを示すバイナリＤＴＸインジケータを出力することができる。バイナリＤＴＸインジケータは、バイナリ値「１」または「０」を有し得る。例えば、バイナリ値「１」は、Ｅ−ＤＰＤＣＨ処理ブロック４３５に、制御信号がＥ−ＤＰＣＣＨ上で受信されたことを示し、バイナリ値「０」は、Ｅ−ＤＰＤＣＨ処理ブロック４３５に、制御信号がＥ−ＤＰＣＣＨ上で受信されていないことを示し得る。
【００４４】
Ｅ−ＤＰＤＣＨ処理ブロック４３５は、制御信号がＥ−ＤＰＣＣＨ上で受信されたことを示すバイナリＤＴＸインジケータを受信した場合、データ信号が関連のＥ−ＤＰＤＣＨ上で同じフレームまたはＴＴＩを介して受信されたと仮定することができる。次いで、Ｅ−ＤＰＤＣＨ処理ブロック４３５は、関連のＥ−ＤＰＤＣＨを処理し始めることができる。一方、制御信号（例えばノイズのみ）がＥ−ＤＰＣＣＨ上で所与のフレームまたはＴＴＩを介して受信されていないことをバイナリＤＴＸインジケータが示す場合、Ｅ−ＤＰＤＣＨ処理ブロックは、受信された信号を破棄することができる。
【００４５】
本発明の実施形態例では、閾値は、コードブック内の符号語の数に依存し、かつ／または比例し得る。すなわち、コードブック内の符号語の数が多ければ多いほど、閾値は高くなる。例えば、６４の符号語を有するコードブックに基づいて決定された閾値は、４つの符号語を有するコードブックに基づいて決定された閾値より大きくなり得る。当分野でよく知られているように、トランスポート・フォーマット設定サイズおよび／またはＥ−ＤＰＤＣＨ上で送信されたトランスポート・チャネル・パケットについての送信の数は、コードブック・サイズ（すなわち、受信された信号の復号に使用される符号語のサブセット内の符号語の数）を示し得る。したがって、本発明の実施形態例では、トランスポート・フォーマット設定サイズおよび／またはトランスポート・チャネル・パケットについての送信の最大数が小さければ小さいほど、コードブック・サイズが小さくなり、したがって閾値が小さくなる。したがって、本発明の実施形態例では、閾値は、さらに、または代わりに、トランスポート・フォーマット設定サイズ、および／またはトランスポート・チャネル・パケットについての送信の最大数に基づいて決定することができる。
【００４６】
本発明の実施形態例では、閾値は、誤警報確率に基づいて決定することができる。誤警報は、符号語が検出され、しかし、ＵＥによる送信がＮｏｄｅＢによって実際には受信されていないときとすることができる。誤警報確率は、例えば、システム性能要件に基づいて、ネットワーク・オペレータによって経験的に決定することができる。誤警報確率は、例えばＲＮＣなどのネットワーク・オペレータによって指定され、ネットワーク内のＮｏｄｅＢに渡され得る。本発明の実施形態例では、ＮｏｄｅＢは、誤警報確率を対応する閾値または閾値に変換するために使用され得る参照テーブルを維持することができる。
【００４７】
本発明の１つまたは複数の実施形態例は、例えば、Ｅ−ＤＰＣＣＨ  ＤＴＸ検出およびＥ−ＤＰＣＣＨ復号の順序を逆にすることによって、より多くの電力効率ＵＥを提供する。本発明の１つまたは複数の実施形態例は、例えば３ＧＰＰ  Ｗｏｒｋｉｎｇ  Ｇｒｏｕｐ（ＷＧ）４がシステム性能要件を設定する場合のシステム性能の向上、ユーザ間の干渉の低減、セル容量の増加、データ・スループットの増加、バッテリの延命化、および／または通話／サーフィン時間の増加を提供する。
【００４８】
本発明の実施形態例は、このように記載されてきたが、多くの方法で変更され得ることは明らかである。こうした変形は、本発明からの逸脱と見なされず、こうしたすべての変更は、本発明の範囲内に含まれるものとする。
【図面の簡単な説明】
【００４９】
【図１】ＵＭＴＳプロトコルに従って動作する従来の無線通信システム１００を示す図である。
【図２】拡張アップリンク専用物理チャネルの従来のフレ―ム構造の一例を示す図である。
【図３】従来のＵＭＴＳアップリンク送信機および受信機を示す図である。
【図４】本発明の一実施形態例によるＵＭＴＳアップリンク受信機を示す図である。
【図１】
0005475285.tif 000002
【図２】
0005475285.tif 000003
【図３】
0005475285.tif 000004
【図４】
0005475285.tif 000005